(57)【要約】【課題】全体形状が小旋回であっても補助的な駆動に関係する構造体、あるいはメンテナンスに関係する構造体を旋回体に容易に配置することができる建設機械の提供。【解決手段】燃料を貯蔵する燃料タンク１１と、この燃料タンク１１に隣接し、ドアカバー１６を有するカウンタウェイト６と、このカウンタウェイト６の前方に配置された油圧ポンプ１４と、この油圧ポンプ１４の前方に配置されて燃料タンク１１に隣接した作動油タンク１２と、油圧ポンプ１４が接続され、カウンタウェイト６の前方に配置されるエンジン１８と、このエンジン１８の上方に配置された排気装置１３と、この排気装置１３の近傍に設けられて油圧ポンプ１４と排気装置１３とを仕切る仕切板１９とを備えた油圧ショベル１において、油圧ポンプ１４の上方に形成された収納空間１０に配置され、補助的な駆動に関係する構造体である補助燃料タンク１７を静止保持する保持構造を設けた。【選択図】図４
2011042994.tif 000002
【特許請求の範囲】
【請求項１】
燃料を貯蔵する燃料タンクと、この燃料タンクに隣接し、ドアカバーを有するカウンタウェイトと、このカウンタウェイトの前方に配置された油圧ポンプと、この油圧ポンプの前方に配置されて前記燃料タンクに隣接した作動油タンクと、前記油圧ポンプが接続され、前記カウンタウェイトの前方に配置されるエンジンと、このエンジンの上方に配置された排気装置と、この排気装置の近傍に設けられて前記油圧ポンプと前記排気装置とを仕切る仕切板とを備えた建設機械において、
前記油圧ポンプの上方に形成された空間に配置され、当該建設機械の駆動に関係する補助的な構造体、あるいはメンテナンスに関係する構造体を静止保持する保持構造を設けたことを特徴とする建設機械。
【請求項２】
請求項１に記載の建設機械において、
当該建設機械の駆動に関係する前記補助的な構造体は前記燃料タンクの容量を増加させる補助燃料タンクから成ることを特徴とする建設機械。
【請求項３】
請求項２に記載の建設機械において、
前記補助燃料タンクは前記ドアカバーから見える位置に燃料レベルゲージを備えたことを特徴とする建設機械。
【請求項４】
請求項１に記載の建設機械において、
前記メンテナンスに関係する構造体は工具を収納する工具箱から成ることを特徴とする建設機械。
【請求項５】
請求項１ないし４のいずれか１項に記載の建設機械において、
前記建設機械は小旋回型の油圧ショベルに適用され、前記保持構造は、前記構造体の下面に締結されてこの構造体の下面を支持する複数の支持ブラケットと、前記油圧ショベルの旋回フレームに立設され、前記複数の支持ブラケットのうちのいずれかの支持ブラケットが締結される支柱と、前記燃料タンクに取り付けられ、前記複数の支柱ブラケットのうちの他の支持ブラケットが固定される固定ブラケットとを含むことを特徴とする建設機械。
【発明の詳細な説明】
【技術分野】
【０００１】
本発明は、土砂等の掘削作業を行うフロント作業機、及びフロント作業機が取り付けられる旋回体を有する油圧ショベル等の建設機械に関する。
【背景技術】
【０００２】
旋回式の建設機械、例えば油圧ショベルは、履帯等を有して走行する走行体と、走行体の上方に連結されて左右方向に旋回する旋回体と、この旋回体の前方に設けられ、各アクチュエータを有して掘削等の作業を行うフロント作業機とから構成されている。この油圧ショベルの中には、小型、中型、大型等の各種の大きさの油圧ショベルがあり、用途によって使い分けられている。これらの油圧ショベルは、旋回体の旋回半径に応じて標準機と小旋回機とに分けられ、標準の油圧ショベルでは、旋回体内に燃料タンク等の装置が十分なスペースをもって配設されているが、小旋回の油圧ショベルでは旋回体の後端半径を車幅内に抑え込む必要があるので、燃料タンク等の装置の小型化やレイアウトが工夫されている。
【０００３】
具体的には、小旋回の油圧ショベルの旋回体は、燃料を貯蔵する燃料タンクと、この燃料タンクに隣接し、ドアカバーを有するカウンタウェイトと、このカウンタウェイトの前方に配置された油圧ポンプとを有している。また旋回体は、油圧ポンプの前方に配置されて燃料タンクに隣接した作動油タンクと、油圧ポンプが接続され、カウンタウェイトの前方に配置されるエンジンと、このエンジンの上方に配置された排気装置と、この排気装置の近傍に設けられて油圧ポンプと排気装置とを仕切る仕切板とを有している。
【０００４】
ところで、このように構成される小旋回の油圧ショベルでは、旋回体の大きさの制約により標準の油圧ショベルに比べて燃料タンクの容量等が小さくなることが問題となっていた。このような問題に対応させるために、従来、キャブと建屋カバー、すなわち上部カバーとの間で旋回フレームに形成される空間に燃料タンクのタンク容量を増やすための補助燃料タンクを設け、さらにこの補助燃料タンクは、キャブに対応した幅寸法と上部カバーの上面に対応した高さ寸法とを有する構成とした旋回式建設機械が提案されている（例えば、特許文献１参照）。
【先行技術文献】
【特許文献】
【０００５】
【特許文献１】特許第３７３０４２０号公報
【発明の概要】
【発明が解決しようとする課題】
【０００６】
しかし、特許文献１に開示された従来の建設機械が小旋回の油圧ショベル等の場合には、結局、この小旋回の油圧ショベル等の駆動に関係する補助燃料タンク等の補助的な構造体、あるいは工具箱等のメンテナンスに関係する構造体の配置に制約を受けざるを得ない。例えば、特許文献１に示される建設機械では、上述したようにキャブと上部カバーとの間で旋回フレームに形成される空間に、駆動に関係する補助的な構造体である補助燃料タンクを設けることによって燃料タンクの容量を増加させているが、小旋回の油圧ショベル等にあっては、この空間は小さく補助燃料タンクの配置には適さないのが実情である。
【０００７】
また、小旋回の油圧ショベル等であっても、一般にメンテナンスに関係する構造体、例えば工具を収納する工具箱を備えることが要望されている。標準の油圧ショベル等では旋回体が大きいので比較的容易に配置することができるが、小旋回の油圧ショベル等では上述したように旋回体の大きさが制約されているので、旋回体に工具箱を設けることが困難になっている。
【０００８】
本発明は、このような従来技術の実情に鑑みてなされたもので、その目的は、全体形状が小旋回であっても補助的な駆動に関係する構造体、あるいはメンテナンスに関係する構造体を旋回体に容易に配置することができる建設機械を提供することにある。
【課題を解決するための手段】
【０００９】
上記の目的を達成するために、本発明の建設機械は、燃料を貯蔵する燃料タンクと、この燃料タンクに隣接し、ドアカバーを有するカウンタウェイトと、このカウンタウェイトの前方に配置された油圧ポンプと、この油圧ポンプの前方に配置されて前記燃料タンクに隣接した作動油タンクと、前記油圧ポンプが接続され、前記カウンタウェイトの前方に配置されるエンジンと、このエンジンの上方に配置された排気装置と、この排気装置の近傍に設けられて前記油圧ポンプと前記排気装置とを仕切る仕切板とを備えた建設機械において、前記油圧ポンプの上方に形成された空間に配置され、当該建設機械の駆動に関係する補助的な構造体、あるいはメンテナンスに関係する構造体を静止保持する保持構造を設けたことを特徴としている。
【００１０】
このように構成した本発明は、例えば全体形状が小旋回の油圧ショベル等の建設機械にあって、今までデッドスペースであり活用されていなかった油圧ポンプの上方に形成された空間に当該建設機械の駆動に関係する補助的な構造体、あるいはメンテナンスに関係する構造体を保持構造によって静止保持することにより、このように全体形状が小旋回であってもこの構造体を旋回体内に容易に配置することができる。このように旋回体内の空間を有効に活用することによって当該建設機械の駆動に関係する補助的な構造体、あるいはメンテナンスに関係する構造体を配置することができる。
【００１１】
また、本発明に係る建設機械は、前記発明において、当該建設機械の駆動に関係する前記補助的な構造体は前記燃料タンクの容量を増加させる補助燃料タンクから成ることを特徴としている。このように構成すると、燃料タンクの容量をこの補助燃料タンクによって増加させることができる。また、補助燃料タンクは旋回体内に配設されるので、旋回体の優れた外観を保つことができる。
【００１２】
また、本発明に係る建設機械は、前記発明において、前記補助燃料タンクは前記ドアカバーから見える位置に燃料レベルゲージを備えたことを特徴としている。このように構成すると、ドアカバーを開けたときに燃料レベルゲージを確認することができるので、燃料タンクの燃料の状態を容易に把握することができる。これにより、燃料タンクの燃料が少ないときに迅速に燃料を補給することができ、メンテナンス性を向上させることができる。
【００１３】
また、本発明に係る建設機械は、前記発明において、前記メンテナンスに関係する構造体は工具を収納する工具箱から成ることを特徴としている。このように構成すると、旋回体の大きさが制約される小旋回の油圧ショベル等にも工具箱を備えることができ、利便性を向上することができる。また、この工具箱は油圧ポンプの上方に配設されるので、ドアカバーから工具を出し入れすることができ、特に旋回体をメンテナンスする際に非常に便利である。
【００１４】
また、本発明に係る建設機械は、前記発明において、前記建設機械は小旋回型の油圧ショベルに適用され、前記保持構造は、前記構造体の下面に締結されてこの構造体の下面を支持する複数の支持ブラケットと、前記油圧ショベルの旋回フレームに立設され、前記複数の支持ブラケットのうちのいずれかの支持ブラケットが締結される支柱と、前記燃料タンクに取り付けられ、前記複数の支柱ブラケットのうちの他の支持ブラケットが固定される固定ブラケットとを含むことを特徴としている。
【００１５】
このように構成した本発明は、油圧ポンプの上方に形成された空間に当該建設機械の駆動に関係する補助的な構造体、あるいはメンテナンスに関係する構造体を支持ブラケット及び固定ブラケット等によって旋回体内に固定することにより、掘削作業等の作業時に小旋回型の油圧ショベルが振動を受けても旋回体に対して確実に静止保持することができる。これにより、高い安全性及び耐久性を確保することができる。
【発明の効果】
【００１６】
本発明の建設機械は、油圧ポンプの上方に形成された旋回体内の空間に、当該建設機械の駆動に関係する補助的な構造体、あるいはメンテナンスに関係する構造体を静止保持する保持構造を設け、今までデッドスペースであり活用されていなかった旋回体内の空間を有効に活用することにより、建設機械が小旋回の油圧ショベル等の場合であってもこれらの構造体を旋回体に容易に配置することができる。これにより、当該建設機械の全体形状が小旋回であってもその駆動能力又はメンテナンス性を従来に比べて向上させることができる。
【図面の簡単な説明】
【００１７】
【図１】本発明に係る建設機械の一実施形態である小旋回型油圧ショベルを示す側面図である。
【図２】図１に示す油圧ショベルの旋回体後部の構造を示す斜視図である。
【図３】図１に示す油圧ショベルのエンジンルーム内部の構成を示す側面図である。
【図４】本発明の一実施形態の要部を示す斜視図である。
【発明を実施するための形態】
【００１８】
以下、本発明に係る建設機械を実施するための形態を図に基づいて説明する。
【００１９】
図１は本発明に係る建設機械の一実施形態である小旋回型油圧ショベルを示す側面図、図２は図１に示す油圧ショベルの旋回体後部の構造を示す斜視図、図３は図１に示す油圧ショベルのエンジンルーム内部の構成を示す側面図、図４は本発明の一実施形態の要部を示す斜視図である。
【００２０】
本発明に係る建設機械の一実施形態は、例えば図１に示すように小旋回型の油圧ショベル１であり、この油圧ショベル１は、走行体２と、この走行体２の上側に配置され、旋回フレーム３ａを有する旋回体３と、この旋回体３の前方に取り付けられて上下方向に回動するフロント作業機４とを備えている。また、旋回体３は、前方にキャブ７を備え、後方にカウンタウェイト６を備え、また、これらキャブ７及びカウンタウェイト６の間にエンジンルーム５を備えている。
【００２１】
図２、図３に示すように、この油圧ショベル１の旋回体３は、後部右側に配置されて燃料を貯蔵する燃料タンク１１と、この燃料タンク１１の後側に隣接し、両端のうち燃料タンク１１側にドアカバー１６を有するカウンタウェイト６と、このカウンタウェイト６の前方に配置され、エンジンルーム５内に形成されたポンプ室５ａに収容される油圧ポンプ１４とを有している。また旋回体３は、油圧ポンプ１４の前方に配置されて燃料タンク１１の左側に隣接した作動油タンク１２と、油圧ポンプ１４が右側に接続され、カウンタウェイト６の前方に配置されるエンジン１８と、このエンジン１８の上方に配置された排気装置１３と、この排気装置１３の上方に配置されて上部のフレームを形成する上部カバー１５と、この上部カバー１５に固定されてこの排気装置１３の後方近傍に配置され、油圧ポンプ１４と排気装置１３とを仕切る仕切板１９とを有している。また、図２、図３に示すように、カウンタウェイト６が油圧ポンプ１４の上方にまで張り出しており、このカウンタウェイト６によってポンプ室５ａの上部と側部が形成されている。そして、油圧ポンプ１４の上部はデッドスペースとなっており、このデッドスペース、すなわち収納空間１０は、カウンタウェイト６、上部カバー１５、及び仕切板１９で上面と側面が囲まれている。なお、燃料タンク１１には、燃料の量を測る図示しない燃料計が設けられている。
【００２２】
本実施形態は、図３に示すように、油圧ポンプ１４の上方に形成された空間、すなわち収納空間１０に配置され、当該建設機械、すなわち油圧ショベル１の駆動に関係する補助的な構造体、例えば燃料タンク１１の容量を増加させる図４に示す補助燃料タンク１７を静止保持する保持構造を設けている。
【００２３】
この保持構造は、同図４に示すように、補助燃料タンク１７の下面に締結されてこの補助燃料タンク１７の下面を支持する２つの支持ブラケット２４ａ，２４ｂと、油圧ショベル１の旋回フレーム３ａに立設され、これら２つの支持ブラケット２４ａ，２４ｂのうちの支持ブラケット２４ａが締結される張出し部２３ａを有する支柱２３と、燃料タンク１１に取り付けられ、２つの支柱ブラケット２４ａ，２４ｂのうちの他の支持ブラケット２４ｂが固定される固定ブラケット２５とを含んでいる。
【００２４】
また、補助燃料タンク１７は、収納空間１０のうち燃料タンク１１の容量の半分位置よりも上方の位置に配置されており、上部と下部がホース２１ａ，２１ｂで燃料タンク１１に接続されている。また、補助燃料タンク１７は、カウンタウェイト６のドアカバー１６を開いたときに見える位置に燃料レベルゲージ２６を備えている。さらに、補助燃料タンク１７の下部のホース２１ｂと燃料タンク１１との接続位置は、燃料タンク１１の容量の半分位置付近に設定されている。なお、燃料タンク１１の上部には給油口２０が設けられており、この給油口２０から燃料を供給することによって燃料が燃料タンク１１及び補助燃料タンク１７に貯蔵される。
【００２５】
このように構成した本実施形態によれば、全体形状が小旋回型の油圧ショベル１の建設機械であっても今までデッドスペースであり活用されていなかった図３に示す収納空間１０に、油圧ショベル１の駆動に関係する補助的な構造体である補助燃料タンク１７を図４に示す支持ブラケット２４ａ，２４ｂと固定ブラケット２５によって支柱２３及び燃料タンク１１にそれぞれ静止保持することにより、このように油圧ショベル１の全体形状が小旋回であってもこの補助燃料タンク１７を旋回体３内に容易に配置することができる。このように旋回体３内に形成された収納空間１０を有効に活用して油圧ショベル１の駆動に関係する補助的な構造体である補助燃料タンク１７を保持構造によって配置することができる。
【００２６】
また、本実施形態は、旋回体３内の収納空間１０に補助燃料タンク１７を配設しているので、小旋回型の油圧ショベル１の燃料タンク１１の燃料を増加させることができる。これにより、この小旋回型の油圧ショベル１の駆動能力を向上させることができる。また、この補助燃料タンク１７は旋回体３内に配設されているので、旋回体３の優れた外観を保つことができる。
【００２７】
また、本実施形態は、旋回体３内の補助燃料タンク１７がカウンタウェイト６のドアカバー１６から見える位置に燃料レベルゲージ２６を備えているので、ドアカバー１６を開けたときにこの燃料レベルゲージ２６を確認することにより、燃料タンク１１の燃量の状態を容易に把握することができる。これにより、燃料タンク１１の燃料が少ないときに迅速に燃料を補給することができ、メンテナンス性を向上させることができる。
【００２８】
また、本実施形態は、補助燃料タンク１７が収納空間１０のうち燃料タンク１１の容量の半分位置よりも上方の位置に配置されており、さらに補助燃料タンク１７の下部のホース２１ｂと燃料タンク１１との接続位置が燃料タンク１１の容量の半分位置付近に設定されているので、補助燃料タンク１７を収納空間１０に取り付けていない状態に比べて燃料タンク１１の燃料の単位当たりの減少量は燃料が半分位置に到達するまで遅くなる。すなわち、燃料タンク１１の燃料の単位当たりの減少量は燃料が半分以下になると速くなる。従って、燃料タンク１１の燃料計が半分を過ぎたあたりを給油のタイミングとして促すことができる。これにより、燃料が満タンの状態から燃料計の中間状態までの時間を長く確保することができると共に、燃料計による燃料の単位当たりの減少量が速くなる中間位置付近を給油のタイミングとすることでこの燃料の残量に応じた給油のタイミングを把握することができる。
【００２９】
また、本実施形態は、旋回体３内に補助燃料タンク１７を支持ブラケット２４ａ，２４ｂと固定ブラケット２５によって支柱２３及び燃料タンク１１にそれぞれ静止保持する保持構造により、旋回体３内に補助燃料タンク１７が固定されているので、油圧ショベル１が掘削作業等の作業中に振動を受けても補助燃料タンク１７が他の装置と接触することを防止することができる。これにより、高い安全性及び耐久性を確保することができる。
【００３０】
なお、本実施形態は、旋回体３内の収納空間１０に油圧ショベル１の駆動に関係する補助的な構造体である補助燃料タンク１７を静止保持する保持構造を備えているが、補助燃料タンク１７に限らず油圧ショベル１の駆動に関係するその他の補助的な構造体であっても良い。例えば、補助燃料タンク１７の代わりにカウンタウェイト６を補助するために旋回体３の後部の重量を増加させる追加カウンタウェイトであっても良い。
【００３１】
また、本実施形態は、旋回体３内の収納空間１０に油圧ショベル１の駆動に関係する補助的な構造体を静止保持する保持構造を設けることに限らず、旋回体３内の収納空間１０に油圧ショベル１のメンテナンスに関係する構造体、例えば工具箱を静止保持する保持構造を設けても良い。この場合、全体形状が小旋回の油圧ショベル１であっても旋回体３内に工具箱を備えることができるので、メンテナンス等における利便性を向上することができる。また、この工具箱は収納空間１０に配設されるので、カウンタウェイト６のドアカバー１６から工具を出し入れすることができ、特に旋回体３をメンテナンスする際に工具を取り出し易く非常に便利である。
【００３２】
また、本実施形態は小旋回型の油圧ショベル１であるが、本発明は小旋回型の油圧ショベル１に限らずその他の大きさの建設機械にも適用することができる。
【符号の説明】
【００３３】
１  油圧ショベル
２  走行体
３  旋回体
３ａ  旋回フレーム
４  フロント作業機
５  エンジンルーム
６  カウンタウェイト
７  キャブ
１０  収納空間
１１  燃料タンク
１２  作動油タンク
１３  排気装置
１４  油圧ポンプ
１５  上部カバー
１６  ドアカバー
１７  補助燃料タンク
１８  エンジン
１９  仕切板
２０  給油口
２１ａ，２１ｂ  ホース
２３  支柱
２３ａ  張出し部
２４ａ，２４ｂ  支持ブラケット
２５  固定ブラケット
２６  燃料レベルゲージ
【図１】
2011042994.tif 000003
【図２】
2011042994.tif 000004
【図３】
2011042994.tif 000005
【図４】
2011042994.tif 000006